【手続補正書】
【提出日】平成26年10月20日(2014.10.20)
【手続補正１】
【補正対象書類名】明細書
【補正対象項目名】０００７
【補正方法】変更
【補正の内容】
【０００７】
前記課題を解決するため、本発明にあっては、被写体の特定動作が撮影された動画像を再生して表示する再生表示手段と、前記被写体の特定動作との比較対象となる特定動作の動作速度に関する情報を取得する取得手段と、前記再生表示手段により再生して表示される前記動画像における前記被写体の特定動作の動作速度と、前記取得手段により取得された前記情報により示される前記比較対象となる特定動作の動作速度とを比較する比較手段と、前記再生表示手段による前記特定動作の再生期間において、前記比較手段の比較結果に係る比較情報を前記再生表示手段に表示させる表示制御手段とを備えたことを特徴とする。
【手続補正２】
【補正対象書類名】特許請求の範囲
【補正対象項目名】全文
【補正方法】変更
【補正の内容】
【特許請求の範囲】
【請求項１】
被写体の特定動作が撮影された動画像を再生して表示する再生表示手段と、
前記被写体の特定動作との比較対象となる特定動作の動作速度に関する情報を取得する取得手段と、
前記再生表示手段により再生して表示される前記動画像における前記被写体の特定動作の動作速度と、前記取得手段により取得された前記情報により示される前記比較対象となる特定動作の動作速度とを比較する比較手段と、
前記再生表示手段による前記特定動作の再生期間において、前記比較手段の比較結果に係る比較情報を前記再生表示手段に表示させる表示制御手段と
を備えたことを特徴とする動画再生装置。
【請求項２】
前記再生表示手段による前記特定動作の再生期間における再生速度を、前記比較手段の比較結果に応じて制御する速度制御手段を更に備えたことを特徴とする請求項１記載の動画再生装置。
【請求項３】
前記取得手段は、前記特定動作を構成する複数の動作区間毎の動作速度に関する情報を取得し、
前記比較手段は、前記再生表示手段により再生される前記動画像における前記被写体の特定動作の動作速度と、前記取得手段により取得された前記情報により示される前記比較対象となる特定動作の動作速度とを前記複数の動作区間毎に比較し、
前記速度制御手段は、前記比較手段による前記複数の動作区間毎の比較結果に応じて前記再生表示手段により前記動画像を再生して表示する際の再生速度を前記複数の動作区間毎に制御し、
前記表示制御手段は、前記比較手段による前記複数の動作区間毎の比較結果に係る比較情報を前記再生表示手段による各動作区間の再生中に前記再生表示手段に表示させることを特徴とする請求項２記載の動画再生装置。
【請求項４】
前記速度制御手段は、前記比較手段の比較結果に応じて、前記再生表示手段により再生して表示される前記動画像における前記被写体の特定動作の動作速度が、前記取得手段により取得された前記情報により示される前記比較対象となる特定動作の動作速度と同じになるように、前記再生表示手段により前記動画像を再生する際の再生速度を制御することを特徴とする請求項２または３に記載の動画再生装置。
【請求項５】
前記再生表示手段は、被写体の特定動作が個別に撮影された複数の動画像を同時再生して表示し、
前記速度制御手段は、前記比較手段の比較結果に基づいて、前記再生表示手段により同時再生される前記複数の動画像の各々における前記特定動作の動作速度が同一速度となるように、前記複数の動画像の再生速度を制御することを特徴とする請求項４記載の動画再生装置。
【請求項６】
前記取得手段は、前記再生表示手段により同時再生される複数の動画像のうちの１つに映された被写体の特定動作を前記比較対象となる特定動作として、この特定動作の動作速度に関する情報を取得することを特徴とする請求項５記載の動画再生装置。
【請求項７】
前記取得手段は、前記再生表示手段により同時再生される複数の動画像のいずれにおける被写体の特定動作とも異なる実被写体または仮想被写体の特定動作を前記比較対象となる特定動作として、この特定動作の動作速度に関する情報を取得し、
前記比較手段は、前記再生表示手段により同時再生される複数の動画像の各々について、各動画像における前記被写体の特定動作の動作速度と、前記取得手段により取得された前記情報により示される前記比較対象となる実被写体または仮想被写体の特定動作の動作速度とを比較することを特徴とする請求項５または６に記載の動画再生装置。
【請求項８】
前記表示制御手段は、前記速度制御手段の制御に伴い前記特定動作の再生時の動作速度が撮影時の動作速度から変更された動画像における、前記特定動作の動作速度の変更度合を表す速度調整情報を前記比較情報として、前記再生表示手段による前記特定動作の再生期間に前記再生表示手段に表示させることを特徴とする請求項２に記載の動画再生装置。
【請求項９】
前記再生表示手段は、被写体の特定動作が個別に撮影された複数の動画像を同時再生して表示し、
前記速度制御手段は、前記比較手段による前記複数の動作区間毎の比較結果に応じて、前記再生表示手段により同時再生される前記複数の動画像の各々における前記特定動作の動作速度が前記複数の動作区間毎に同一速度となるように、前記再生表示手段により前記動画像を再生する際の再生速度を前記複数の動作区間毎に制御することを特徴とする請求項３記載の動画再生装置。
【請求項１０】
前記速度制御手段は、前記比較手段の比較結果に応じて、前記複数の動作区間毎に、前記複数の動画像のうちのいずれの再生速度をどのように変化させるかを決定し、この決定に従って前記複数の動画像の再生速度を前記複数の動作区間毎に変化させることを特徴とする請求項９記載の動画再生装置。
【請求項１１】
前記表示制御手段は、前記速度制御手段の制御に伴い前記複数の動画像のうちのいずれの動画像における前記特定動作の動作速度がどのように変化したかを表す速度調整情報を、前記再生表示手段による各動作区間の再生中に前記再生表示手段に表示させることを特徴とする請求項１０記載の動画再生装置。
【請求項１２】
前記再生表示手段は、被写体の特定動作が個別に撮影された複数の動画像を同時再生して表示し、
前記取得手段は、前記特定動作を構成する複数の動作区間毎の動作速度に関する情報を取得し、
前記比較手段は、前記再生表示手段により同時再生して表示される前記複数の動画像における前記被写体の特定動作の動作速度と、前記取得手段により取得された前記情報により示される前記比較対象となる特定動作の動作速度とを前記複数の動作区間毎に比較し、
前記速度制御手段は、前記比較手段の比較結果に基づいて、前記再生表示手段により同時に再生して表示される前記複数の動画像の各々における前記特定動作の動作速度が同一速度となるように、前記複数の動画像の再生速度を前記複数の動作区間毎に制御し、
前記表示制御手段は、前記比較手段による前記複数の動作区間毎の比較結果に係る比較情報を前記再生表示手段による各動作区間の再生中に前記再生表示手段に表示させることを特徴とする請求項５記載の動画再生装置。
【請求項１３】
前記速度制御手段は、前記再生表示手段により同時再生して表示する際の前記複数の動画像の各々における再生速度を、各々における前記特定動作の動作速度をいずれかの動画像における前記特定動作の撮影時の動作速度と同一速度となるように、前記複数の動作区間毎に制御することを特徴とする請求項１２記載の動画再生装置。
【請求項１４】
前記表示制御手段は、前記比較情報を、前記速度制御手段の制御に伴い前記特定動作の再生時の動作速度が撮影時の動作速度から変更された動画像に関係付けて前記再生表示手段に表示させることを特徴とする請求項１２記載の動画再生装置。
【請求項１５】
前記表示制御手段は、前記速度制御手段の制御に伴い前記特定動作の再生時の動作速度が撮影時の動作速度から変更された動画像における、前記特定動作の動作速度の変更度合を表す速度調整情報を前記比較情報として、前記再生表示手段による各動作区間の再生中に前記再生表示手段に表示させることを特徴とする請求項１２項に記載の動画再生装置。
【請求項１６】
前記表示制御手段は、前記特定動作おける前記複数の動作区間毎の前記速度調整情報として、前記特定動作の動作速度の変更度合を表す数値を前記再生表示手段に表示させることを特徴とする請求項１５記載の動画再生装置。
【請求項１７】
前記表示制御手段は、前記特定動作おける前記複数の動作区間毎の前記速度調整情報として、前記速度制御手段による調整前後の再生速度の比を表す情報を、各動作区間の再生中に前記再生表示手段に表示させることを特徴とする請求項１５記載の動画再生装置。
【請求項１８】
前記特定動作はゴルフスイングであり、
前記速度制御手段は、前記再生表示手段により前記動画像を再生して表示する際の再生速度を、ゴルフスイングにおける複数の動作ポイントにより分割される複数の動作区間毎に同一速度に制御する
ことを特徴とする請求項３に記載の動画再生装置。
【請求項１９】
被写体の特定動作が撮影された動画像を再生して表示する工程と、
前記被写体の特定動作との比較対象となる特定動作の動作速度に関する情報を取得する工程と、
前記動画像における前記被写体の特定動作の動作速度と、前記情報により示される前記比較対象となる特定動作の動作速度とを比較する工程と、
前記動画像における前記被写体の前記特定動作の再生期間において、前記比較の結果に係る比較情報を表示する工程と
を含むことを特徴とする動画再生方法。
【請求項２０】
動画再生装置が有するコンピュータを、
被写体の特定動作が撮影された動画像を再生して表示する再生表示手段と、
前記被写体の特定動作との比較対象となる特定動作の動作速度に関する情報を取得する取得手段と、
前記再生表示手段により再生して表示される前記動画像における前記被写体の特定動作の動作速度と、前記取得手段により取得された前記情報により示される前記比較対象となる特定動作の動作速度とを比較する比較手段と、
前記再生表示手段による前記特定動作の再生期間において、前記比較手段の比較結果に係る比較情報を前記再生表示手段に表示させる表示制御手段と
して機能させることを特徴とするプログラム。